(57)【特許請求の範囲】
【請求項１】
データが記録または再生されるトラックのアドレス情報を保持する記録媒体において、
ランドとグルーブが交互に配置され、
前記ランドおよび前記グルーブのいずれか一方が、前記トラックを構成し、
隣接する２つのトラックにおいて、一方のトラックの左右のエッジだけが、前記２つのトラックに共有されるアドレス情報に対応してウォブリングされている  ことを特徴とする記録媒体。
【請求項２】
前記隣接する２つのトラックは、相互に独立なダブルスパイラルトラックとして形成されている
ことを特徴とする請求項１に記載の記録媒体。
【請求項３】
前記記録媒体は、ディスク形状を有する
ことを特徴とする請求項１に記載の記録媒体。
【請求項４】
ランドとグルーブが交互に配置され、前記ランドおよび前記グルーブのいずれか一方が、トラックを構成する記録媒体に対してアドレス情報を記録するアドレス記録方法において、
隣接する２つのトラックにおいて、一方のトラックの左右のエッジだけをウォブリングすることにより、前記２つのトラックに共有されるアドレス情報を記録する
ことを特徴とするアドレス記録方法。
【請求項５】
ランドとグルーブが交互に配置され、前記ランドおよび前記グルーブのいずれか一方が、トラックを構成する記録媒体に対してアドレス情報を記録するアドレス記録装置において、
隣接する２つのトラックにおいて、一方のトラックの左右のエッジだけをウォブリングすることにより、前記２つのトラックに共有されるアドレス情報を記録する記録手段を備える
ことを特徴とするアドレス記録装置。
【発明の詳細な説明】
【０００１】
【発明の属する技術分野】
本発明は、記録媒体、アドレス記録方法および装置に関し、特に、アドレス情報に対応してウォブリングされているトラックまたはトラックに隣接する未記録領域を有する記録媒体、データが記録されるトラックまたはトラックに隣接する未記録領域をウォブリングさせることにより、アドレス情報を記録するアドレス記録方法および装置に関する。
【０００２】
【従来の技術】
近年、所謂マルチメディアの興隆に伴い、デジタルの静止画や動画などのような大容量のデータが取り扱われるようになりつつある。そのようなデータは、概して、光ディスクなどの所定の大容量の記録媒体に蓄積され、必要に応じてランダムアクセスして再生される。
【０００３】
光ディスクは、ランダムアクセスが可能であり、フロッピーディスクなどの磁気による記録媒体より記録密度が高く、さらに、光磁気ディスクにおいては、書き換えも可能であるので、上述の記録媒体として利用されている。
【０００４】
このような光磁気ディスクの多くは、情報記録層にグルーブとランドと呼ばれる凹凸を有しており、その記録媒体上の各位置を示すクラスタ番号やセクタ番号で所定の周波数のキャリアを変調し、その変調信号に対応して、グルーブの形状を予めウォブリング（蛇行）させておき、そのグルーブの（エッジの）形状でアドレス情報を保持するようにしている。このようにエッジをウォブリングさせてアドレス情報を記録する方法は、線速度が一定（ＣＬＶ）でデータの記録または再生が行われるディスクと相性が良く、信頼性が高く、かつ、冗長度が低く、さらにデータエリアへの干渉が少ないため、よく利用される。
【０００５】
図１７は、このようなウォブリングさせたグルーブを有する従来のディスクの一例を示している。このディスクにおいては、グルーブにデータが記録され（グルーブがトラックとされ）、グルーブの両側のウォブリングされたエッジに、そのグルーブのアドレス情報が保持される。すなわち、グルーブの左右のエッジは同一のアドレス情報を有しており、それぞれは、その内側のグルーブのアドレスを表している。従って、データの記録または再生を行う場合、図１７に示すように、レーザ光をグルーブに照射してデータの記録または再生を行うとともに、レーザ光の領域Ａ乃至Ｄの反射光を、それぞれ独立に受光して、トラックの一方の側の領域Ａの光量と領域Ｄの光量の和（Ａ＋Ｄ）と、トラックの他方の側の領域Ｂの光量と領域Ｃの光量の和（Ｂ＋Ｃ）の差（（Ａ＋Ｄ）−（Ｂ＋Ｃ））を算出し、この信号からウォブリングされたエッジの形状を検出し、アドレス情報を読み出している。
【０００６】
さらに、このようなディスクにおいては、アドレス情報信号でディスクの回転制御用のキャリア信号をＦＭ変調したＦＭ信号に従って、ウォブリングされたランドまたはグルーブが作成されているので、ディスクの再生時に、このランドまたはグルーブの形状を検出して、検出した信号をＦＭ復調してアドレス情報を読み取るとともに、キャリア信号を抽出し、そのキャリア信号に従ってディスクの回転制御を行っている。
【０００７】
また、このようにエッジをウォブリングさせるアドレス方式とは別のアドレス方式として、記録可能な記録媒体であるＨＳ（Hyper Storage）（商標）において利用されているサンプリングサーボ方式がある。このサンプリングサーボ方式においては、所定の間隔で、トラックに沿って、アドレス情報を示すピット（プリピット）を予め作成しておき、データの書き込みまたは読み取り時に、このプリピットからの反射光を検出することで、アドレス情報を読み取る。
【０００８】
このような光ディスクや光磁気ディスクなどの記録媒体においては、さらに大容量のデータを記録可能にするために、記録データの高密度化が進められており、例えば、トラックピッチを狭くし、トラック方向の線密度を大きくして高密度化を行うことが考えられている。
【０００９】
【発明が解決しようとする課題】
しかしながら、エッジをウォブリングさせてアドレスをＣＬＶディスクに記録する場合、ウォブリングされたエッジの形状が、隣りのグルーブ（トラック）のエッジのウォブリングの形状と同期していない（位相が異なる）ため（図１７においては、便宜上、同期しているようにエッジが描かれているが、実際のディスクにおいては、それらのエッジは同期していない）、トラックピッチ（トラックとトラックの間隔）を狭くした場合、それらのエッジから読み出されるアドレス情報を含む信号が、他のエッジからの干渉を受けてクロストークを起こし、アドレスの読み取りが困難になる。
【００１０】
例えば、図１７において、トラックピッチが狭い場合、トラックＴ１のアドレス情報を読み出すとき、トラックＴ１の両側のエッジ（トラックＴ１のアドレス情報を有する）の他、内周側のトラックＴ０の片方の（トラックＴ１側の）エッジ（トラックＴ０のアドレス情報を有する）と、外周側のトラックＴ２の片方の（トラックＴ１側の）エッジ（トラックＴ２のアドレス情報を有する）にもレーザ光が照射されてしまうので、これらのエッジ（トラックＴ０の片方のエッジおよびトラックＴ２の片方のエッジ）からクロストークを被ることになり、本来のトラックＴ１のアドレスの読み取りが困難になる。
【００１１】
従って、トラックピッチを狭くすることができず、記録密度を向上することができないという問題を有している。
【００１２】
また、サンプリングサーボ方式においては、トラック内に所定の間隔でプリピットを形成する必要があるので、トラックの利用可能領域が減り、記録容量が低下するという問題を有している。
【００１３】
本発明は、このような状況に鑑みてなされたもので、記録媒体の奇数番号または偶数番号のトラックのみに、アドレス情報を記録するようにすることで、記録容量を低下させることなく、異なるアドレス情報を含むウォブリングされたエッジ間の距離を長くし、エッジ間のクロストークを減少させ、トラックピッチが狭い場合においても、アドレス情報を読み取ることができるようにするものである。
【００１４】
【課題を解決するための手段】
請求項１に記載の記録媒体は、ランドとグルーブが交互に配置され、ランドおよびグルーブのいずれか一方が、トラックを構成し、隣接する２つのトラックにおいて、一方のトラックの左右のエッジだけが、２つのトラックに共有されるアドレス情報に対応してウォブリングされていることを特徴とする。
【００１５】
請求項４に記載のアドレス記録方法は、隣接する２つのトラックにおいて、一方のトラックの左右のエッジだけをウォブリングすることにより、２つのトラックに共有されるアドレス情報を記録することを特徴とする。
【００１６】
請求項５に記載のアドレス記録装置は、隣接する２つのトラックにおいて、一方のトラックの左右のエッジだけをウォブリングすることにより、２つのトラックに共有されるアドレス情報を記録する記録手段を備えることを特徴とする。
【００２４】
請求項１に記載の記録媒体においては、ランドとグルーブが交互に配置され、例えば、グルーブが、トラックを構成し、隣接する２つのトラックにおいて、一方のトラック（グルーブ）の左右のエッジだけが、２つのトラックに共有されるアドレス情報に対応してウォブリングされている。
【００２５】
請求項４に記載のアドレス記録方法においては、隣接する２つのトラックにおいて、一方のトラックの左右のエッジだけをウォブリングすることにより、２つのトラックに共有されるアドレス情報を記録する。
【００２６】
請求項５に記載のアドレス記録装置においては、記録手段は、隣接する２つのトラックにおいて、一方のトラックの左右のエッジだけをウォブリングすることにより、２つのトラックに共有されるアドレス情報を記録する。
【００３４】
【発明の実施の形態】
図１は、本発明の記録再生装置の第１の実施例の構成を示している。この実施例においては、データ変調器１は、所定の入力データを、ディスクに記録する所定の形式の符号に変換し、その符号を記録ヘッド制御回路２に出力するようになされている。
【００３５】
記録ヘッド制御回路２は、記録／再生部４の記録再生ヘッド２１（図２）に制御信号を供給し、データ変調器１より供給された符号をディスク１１（光磁気ディスクなどの記録媒体）に記録させるようになされている。
【００３６】
記録／再生部４は、記録ヘッド制御回路２の制御に応じて、データ（符号）をディスク１１に記録する他、ディスク１１にレーザ光を照射し、その反射光を受光することでディスク１１に記録されているデータ（符号）を読み取り、そのデータ（符号）をデータ復調器８に出力するとともに、受光した反射光からトラッキングエラー信号、フォーカスエラー信号、および、アドレス情報を含むウォブル信号を生成し、トラッキングエラー信号およびフォーカスエラー信号をサーボ回路７に出力し、ウォブル信号をウォブル信号検出回路９（判別手段）に出力するようになされている。
【００３７】
ウォブル信号検出回路９は、現在記録または再生を行っているトラックが、奇数番号のトラックであるのか、偶数番号のトラックであるのかを、記録／再生部４より供給されたウォブル信号から判別し、判別結果の信号（トラック判別信号）をアドレスデコーダ５（算出手段）に出力するとともに、記録／再生部４より供給されたウォブル信号を、アドレス情報信号に変換し、アドレスデコーダ５に出力するようになされている。
【００３８】
ウォブル信号検出回路９はまた、記録／再生部４より供給されたウォブル信号よりキャリア信号を抽出して、サーボ回路７に出力するようになされている。
【００３９】
アドレスデコーダ５は、ウォブル信号検出回路９より供給されるアドレス情報信号およびトラック判別信号からアドレスを算出し、そのアドレスをシステムコントローラ３に出力するようになされている。
【００４０】
システムコントローラ３は、アドレスデコーダ５より供給されるアドレスに従って、所定の制御信号をサーボ回路７に出力するとともに、入力装置６より、所定の操作に対応する信号を供給されると、その操作に応じた制御信号をサーボ回路７に出力し、記録／再生部４を制御させるようになされている。
【００４１】
サーボ回路７は、記録／再生部４より供給されるフォーカスエラー信号とトラッキングエラー信号に応じて、記録／再生部４の駆動部２２（図２）を制御し、光ヘッド３４の全体や、光ヘッド３４の対物レンズ４５を移動させることにより、データ検出に利用するレーザ光のフォーカスおよびトラッキングを調整するようになされている。
【００４２】
また、サーボ回路７は、ウォブル信号検出回路９からの回転情報に従って記録／再生部４のスピンドルモータ３１（図２）を制御して、ディスク１１を所定の速度で回転させるとともに、システムコントローラ３からの制御信号に応じて、記録／再生部４の制御を行うようになされている。
【００４３】
データ復調部８は、記録／再生部４がディスク１１より読み出したデータ（データ検出信号）を元のデータに復調するようになされている。
【００４４】
図２は、記録／再生部４の一構成例を示している。記録再生ヘッド２１の磁気ヘッド３３と光ヘッド３４は、記録ヘッド制御回路２より供給される制御信号に応じて動作し、それぞれ磁界とレーザ光を発生して、ディスク１１に所定のデータを記録するようになされている。
【００４５】
なお、光ヘッド３４は、ディスク１１にレーザ光を照射し、その反射光を受光し、受光した光量に応じた電気信号を信号処理部２３に出力するようになされている。
【００４６】
駆動部２２は、ディスク１１を回転させるスピンドルモータ３１、記録再生ヘッド２１を移動させるメカデッキ３２などを有し、サーボ回路７より供給される制御信号に応じて動作するようになされている。
【００４７】
信号処理部２３は、記録再生ヘッド２１からの信号を処理し、データ検出信号、トラッキングエラー信号、フォーカスエラー信号、および、ウォブル信号を生成し、データ検出信号をデータ復調器８に出力し、トラッキングエラー信号およびフォーカスエラー信号をサーボ回路７に出力し、ウォブル信号をウォブル信号検出回路９に出力するようになされている。
【００４８】
図３は、駆動部２２の一構成例を示している。スピンドルモータ３１は、ターンテーブル３３に固定されたディスク１１を回転させるようになされている。メカデッキ３２は、サーボ回路７からの制御信号に応じて、記録再生ヘッド２１をディスク１１の半径方向に移動させるようになされている。
【００４９】
図４は、記録再生ヘッド２１の一構成例を示している。この図において、レーザダイオード４１は、波長が６８０ｎｍの赤色レーザ光を放射し、コリメータレンズ４２、グレーティング４３、ビームスプリッタ４４Ａ、および対物レンズ４５（照射手段）を介してディスク１１の記録層の所定の領域に結像する。ディスク１１からの反射光は、対物レンズ４５を再び経由してビームスプリッタ４４Ａに入射され、ｐ偏光成分の一部（例えば、ｐ偏光成分の３０％）と、ｓ偏光成分の全てが抽出され、ビームスプリッタ４４Ｂに入射される。ビームスプリッタ４４Ｂは、入射されたレーザビームのうちの一部をレンズ４６に入射し、また、残りの大部分を半波長板４９を介して偏光ビームスプリッタ５０に入射する。偏光ビームスプリッタ５０は、入射されたレーザビームをｓ偏光成分とｐ偏光成分とに偏光分離し、レンズ５７Ａとレンズ５８Ａに入射する。
【００５０】
ビームスプリッタ４４Ａから出力され、レンズ４６に入射されたレーザビームは、ビームに非点収差を与えるレンズ４７を介してホトダイオード４８Ａに入射され、ビームの強度に応じた電気信号に変換され、サーボ信号（フォーカスエラー信号およびトラッキングエラー信号）として、サーボ回路７に出力される。また、偏光ビームスプリッタ５０から出射されたレーザビームは、レンズ５７Ａ，５７Ｂ、レンズ５８Ａ，５８Ｂをそれぞれ介して、ホトダイオード４８Ｂとホトダイオード４８Ｃに入射される。これらのホトダイオード４８Ｂ，４８Ｃは、入射されたレーザビームを対応する電気信号に変換し、出力する。ホトダイオード４８Ｂ，４８Ｃより出力される電気信号は、差動増幅され、データ検出信号としてデータ復調器８に出力される。
【００５１】
なお、データ検出用の戻り光はディスクに記録されているデータに応じて偏光状態が変化するので、ホトダイオード４８Ｂ，４８Ｃで受光した偏光成分の差よりデータを検出することができる。
【００５２】
磁気ヘッド３３は、ディスク１１を挟んで、対物レンズ４５に対向する位置に配置され、記録位置に対応する磁界をディスク１１に印加するようになされている。
【００５３】
本実施例においては、３本のレーザ光を所定の間隔に配置してディスク１１に照射し、３本のレーザ光を利用して差動プッシュプル（ＤＰＰ）方式でトラッキングサーボを行い、さらに、両側のレーザ光（サイドビーム）のうちの１本をアドレス情報の読み取りに使用し、中央のレーザ光を利用してフォーカスサーボを行うとともに、データの記録または再生を行う。
【００５４】
なお、３本のレーザ光のうち、両側の２本のレーザ光を利用して、３スポット方式でトラッキングサーボを行うこともできる。その場合、両側の２本のレーザ光の戻り光の光量の差をトラッキングエラー信号とする。
【００５５】
図５は、本発明の記録媒体の一実施例であるディスク１１を平面から見た構成例を示している。ディスク１１は、円周方向に沿ってスパイラル状（または同心円上に）、グルーブとランドと呼ばれる凹凸を有する。そして、グルーブとランドの一方がトラック（記録エリア）とされ、そこにデータが記録または再生される（一方、グルーブとランドのうち、トラックにされない方は未記録エリアとされる）。トラックとされたグルーブまたはランドにおいては、１トラックおきに、左右のエッジ１２−１乃至１２−５が、アドレス情報に対応してウォブリングされている。このようにすることで、所定のウォブリングされたエッジから他のトラックのウォブリングされたエッジまで１トラックピッチ以上離れることになり、これらのエッジからアドレス情報を読み取るときの、他のトラックのエッジからの干渉を抑制することができる。
【００５６】
なお、このディスク１１は、図６に示すように、ダブルスパイラルトラックとされている。即ち、最内周から最外周に向かって順番にＴ０，Ｔ１，Ｔ２，Ｔ３とトラック番号を付けるものとすると、奇数番号（奇数番目）のトラック（トラックＡ）は、偶数番号のトラックとは独立に、トラック番号順に、互いに連続し、偶数番号（偶数番目）のトラック（トラックＢ）は、奇数番号のトラックとは独立に、トラック番号順に、互いに連続している。例えば、トラックＴ０はトラックＴ２、トラックＴ４、トラックＴ６と連続し、トラックＴ１はトラックＴ３、トラックＴ５、トラックＴ７と連続する。
【００５７】
そして、トラックＴ１およびトラックＴ２に共有されるアドレス情報は、トラックＴ１の左右のエッジ１２−２，１２−３の形状として保持され、トラックＴ３およびトラックＴ４（図示せず）に共有されるアドレス情報は、トラックＴ３の左右のエッジ１２−４，１２−５の形状として保持されている。
【００５８】
なお、トラックＴ１のアドレス情報のみを、トラックＴ１の左右のエッジ１２−２，１２−３の形状として保持し、トラックＴ３のアドレス情報のみを、トラックＴ３の左右のエッジ１２−４，１２−５の形状として保持し、トラックＴ２のアドレス情報を、所定のエッジには特に記録せず、トラックＴ１のアドレス情報またはトラックＴ３のアドレス情報から、間接的に算出させることもできる。この場合、奇数番号のトラックにのみアドレス情報が記録され、偶数番号のトラックにはアドレス情報が記録されない。
【００５９】
また、図５に示すように、データを記録または再生するためのレーザ光のスポット１３−１は、トラック（例えばトラックＴ１）の中央に、その中心が配置されるように照射される。また、両側のレーザ光（トラッキングエラー検出用のレーザ光）のスポット１３−２，１３−３は、ＤＰＰ方式によりトラッキングサーボが行われるため、トラックピッチの１／２の幅だけ、ディスク１１の内周側または外周側にずれた位置（トラックＴ０とトラックＴ１の間またはトラックＴ１とトラックＴ２の間）に照射される。このとき、スポット１３−２，１３−３が、他のトラックのウォブリングされたエッジ（今の場合、エッジ１２−１，１２−４）に重ならないので、クロストークを抑制することができる。
【００６０】
従って、図４のホトダイオード４８Ａは、３つのスポット１３−１乃至１３−３を受光するための３つの受光部４８−１乃至４８−３（図１０）を有し、フォーカスエラー検出用のレーザ光およびトラッキングエラー検出用の２本のレーザ光を検出する。フォーカスエラーの検出用のレーザ光を受光する受光部４８−１は、４つの受光領域Ａ乃至Ｄに分割されている。また、ＤＰＰ方式でトラッキングエラーの検出を行うので、トラッキングエラー検出用のレーザ光を受光する受光部４８−２，４８−３は、それぞれ、２つの受光領域Ｅ，ＦまたはＧ，Ｈに分割されている。
【００６１】
そして、これらの受光領域Ａ乃至Ｈは、図５に示すスポット１３−１乃至１３−３の各照射領域Ａ乃至Ｈに対応する光を受光するようになされている。なお、この点については、図１０を参照して、後述する。
【００６２】
このように、トラッキングエラー検出用の２本のレーザ光（サイドビーム）は、データの記録または再生が行われるトラックＴ１とトラックＴ０との間、または、トラックＴ１とトラックＴ２の間を中心にして、エッジ１２−２およびエッジ１２−３に照射され、それらの戻り光がホトダイオード４８Ａで受光される。そして、ホトダイオード４８Ａで受光された２本の戻り光より、同一のアドレス情報を含むエッジ１２−２およびエッジ１２−３のいずれか一方の形状を検出することにより、トラックＴ１のアドレス情報を読み取る。
【００６３】
なお、トラックＴ２においてデータの記録または再生が行われる場合、図７に示すように、トラッキングエラー検出用のレーザ光のスポット１３−２は、トラックＴ１とトラックＴ２の間を中心にして、エッジ１２−３に照射され、それらの戻り光がホトダイオード４８Ａで受光される。このように受光された戻り光よりエッジ１２−３の形状が検出され、その形状を示す信号からトラックＴ１と共有しているアドレス情報が算出される。
【００６４】
なお、トラックＴ３と（トラックＴ２が）アドレス情報を共有する場合は、レーザ光のスポット１３−３を利用して、同様にアドレス情報を取得する。
【００６５】
図８は、本発明のアドレス記録装置の一実施例の構成を示している。ＡＤＩＰ（Address in pre-groove）データ発生回路５１は、ディスク１１（ディスク５５）におけるアドレスのデータを発生し、そのデータをＡＤＩＰエンコーダ５２に出力するようになされている。
【００６６】
ＡＤＩＰエンコーダ５２は、供給されたアドレスデータでバイフェーズ変調を行い、その変調信号（バイフェーズ信号）で、所定の周波数のキャリアを周波数変調し、変調後の信号（ＦＭ信号）を光ヘッド５３（記録手段）に出力するようになされている。
【００６７】
光ヘッド５３は、供給された変調信号に応じて、ウォブリングさせながら、レーザ光を、ホトレジストが表面に塗布されたディスク５５（原盤）に照射するようになされている。
【００６８】
ディスク５５は、ホトレジストが表面に塗布されており、モータ５６によって所定の速度で回転されながら、レーザ光を照射されるようになされている。ディスク５６の表面は、このようにして、光ヘッド５３からのレーザ光により、アドレス情報に対応するウォブリング形状に感光された後、現像され、ウォブリングされたグルーブが形成され、グルーブとグルーブの間にランドが形成される。
【００６９】
このとき、光ヘッド５３は、２本のビーム（レーザ光）を発生する。そして、第１のビームを、記録するアドレス情報に対応させて蛇行させることで、奇数番号のトラックの両側のエッジをウォブリングさせ、第２のビームを第１のビームの内周側に配置し、固定しておく（ウォブリングさせない）ことで、内周側に隣接する偶数番号のトラックの両側のエッジを直線（円）状にする。
【００７０】
そして、第１のビームの軌跡（グルーブ）と第２のビームの軌跡（グルーブ）の間に、ランドが生成されるように、ディスク５５の回転に対応して、２本のビームを移動させていくことにより、図５に示すように、１トラックおきに、左右のエッジ１２−１乃至１２−５がウォブリングされたトラックを有するディスクが得られる。
【００７１】
そして、ディスク５５（表面の凹凸）から、スタンパが作成され、さらに、そのスタンパから多数のレプリカディスクとしてのディスク１１が作成される。なお、この明細書中においては、露光された結果生成される部分をグルーブ、露光されずに生成された部分（グルーブが生成される結果として生成される部分）をランドと称する。
【００７２】
このようにして、ディスク１１のスタンパの作成時において、ディスク５５にレーザ光を照射し、アドレス情報に対応して、そのレーザ光をウォブリングさせることでアドレス情報をトラックのエッジに記録する。そして、ディスク５５を転写したスタンパをさらに転写することで、アドレス情報に対応して、トラックのエッジをウォブリングしたディスク１１を製造する。
【００７３】
このようにして、図５に示すように、１トラックおきに、左右のエッジ１２−１乃至１２−５に、そのトラックのアドレス情報が記録される。
【００７４】
なお、偶数番号のトラックのエッジをウォブリングするようにしてもよいことは勿論である。
【００７５】
図９は、図８のＡＤＩＰエンコーダ５２の一構成例を示している。発振回路６１は、周波数が４４．１ｋＨｚの基準信号を発振し、周波数変換器６２，６３に出力するようになされている。
【００７６】
周波数変換器６２は、発振回路６１からの基準信号の周波数を１／７に割算し、６３００Ｈｚの基準信号をバイフェーズ変調器６４に出力し、周波数変換器６３は、発振回路６１からの基準信号の周波数を１／２に割算し、２２．０５ｋＨｚのキャリア信号をＦＭ変調器６５に出力するようになされている。
【００７７】
バイフェーズ変調器６４は、ＡＤＩＰデータ発生回路５１より供給されるアドレスデータで、周波数変換器６２より供給される６３００Ｈｚの基準信号を変調し、変調した信号（バイフェーズ信号）をＦＭ変調器６５に供給するようになされている。
【００７８】
ＦＭ変調器６５は、バイフェーズ変調器６４より供給されたバイフェーズ信号で、周波数変換器６３より供給されたキャリア信号を周波数変調し、変調したＦＭ信号を光ヘッド５３に出力するようになされている。
【００７９】
このようにして、ＡＤＩＰエンコーダ５２は、アドレスデータ（ＡＤＩＰデータ）を変調して、そのＦＭ信号を光ヘッド５３に出力する。
【００８０】
図１０は、図２の信号処理部２３の一構成例を示している。演算回路７１は、ホトダイオード４８Ａの受光部４８−２から、トラック方向に２分割された領域Ｅ，Ｆに入射した光の光量に対応する電気信号Ｅ，Ｆを供給され、それらの信号の差を計算し、その計算結果（Ｅ−Ｆ）を演算回路７８に出力するとともに、信号Ｅと信号Ｆの和を計算し、その計算結果（Ｅ＋Ｆ）をウォブル信号検出回路９に出力するようになされている。なお、ＤＰＰ方式でトラッキングサーボを行う場合、演算回路７１は、電気信号Ｅ，Ｆの差（Ｅ−Ｆ）をウォブル信号検出回路９に出力するようにしてもよい。
【００８１】
演算回路７２は、ホトダイオード４８Ａの受光部４８−１から、トラック方向とそれに垂直な方向に４分割された領域Ａ乃至Ｄに入射した光の光量に対応する電気信号Ａ，Ｂ，Ｃ，Ｄを供給されるとともに、ホトダイオード４８Ｂの受光領域Ｉおよびホトダイオード４８Ｃの受光領域Ｊに入射した光の光量に対応する電気信号Ｉ，Ｊを供給され、これらの信号から、データ検出信号（Ｉ−Ｊ）を計算し、データ復調器８に出力するとともに、フォーカスエラー信号（（Ａ＋Ｃ）−（Ｂ＋Ｄ））を計算し、サーボ回路７に出力するようになされている。
【００８２】
さらに、演算回路７２は、供給された信号Ａ，Ｂ，Ｃ，Ｄから、受光部４８−１におけるトラッキングエラーに対応する信号（（Ｂ＋Ｃ）−（Ａ＋Ｄ））を計算し、演算回路７８に出力するようになされている。
【００８３】
また、演算回路７２は、供給された信号Ａと信号Ｄの和を計算し、その計算結果（Ａ＋Ｄ）をウォブル信号検出回路９に出力するとともに、供給された信号Ｂと信号Ｃの和を計算し、その計算結果（Ｂ＋Ｃ）をウォブル信号検出回路９に出力するようになされている。
【００８４】
演算回路７３は、ホトダイオード４８Ａの受光部４８−３から、トラック方向に２分割された領域Ｇ，Ｈに入射した光の光量に対応する電気信号Ｇ，Ｈを供給され、それらの信号の差を計算し、その計算結果（Ｇ−Ｈ）を演算回路７８に出力するとともに、信号Ｇと信号Ｈの和を計算し、その計算結果（Ｇ＋Ｈ）をウォブル信号検出回路９に出力するようになされている。なお、ＤＰＰ方式でトラッキングサーボを行う場合、演算回路７３は、電気信号Ｇ，Ｈの差（Ｇ−Ｈ）をウォブル信号検出回路９に出力するようにしてもよい。
【００８５】
演算回路７８は、演算回路７１の出力（Ｅ−Ｆ）、演算回路７２の出力（（Ｂ＋Ｃ）−（Ａ＋Ｄ））、および、演算回路７３の出力（Ｇ−Ｈ）より、ＤＰＰ方式におけるトラッキングエラー信号（（Ｂ＋Ｃ）−（Ａ＋Ｄ）−ｋ（（Ｅ−Ｆ）＋（Ｇ−Ｈ）））（ｋは所定の定数）を計算し、サーボ回路７に出力するようになされている。
【００８６】
なお、３スポット方式でトラッキングサーボを行う場合、スポット１３−２、１３−３は、１／４トラックピッチだけスポット１３−１から内周側または外周側に配置され、演算回路７１は、信号（Ｅ＋Ｆ）を演算回路７８に出力し、演算回路７３は、信号（Ｇ＋Ｈ）を演算回路７８に出力し、演算回路７８は、演算回路７１の出力（Ｅ＋Ｆ）と演算回路７３の出力（Ｇ＋Ｈ）の差を計算し、トラッキングエラー信号（（Ｅ＋Ｆ）−（Ｇ＋Ｈ））として、サーボ回路７に出力する。
【００８７】
このようにして、信号処理部２３は、ホトダイオード４８Ａ，４８Ｂ，４８Ｃからの信号を処理し、各信号を所定の回路に出力する。
【００８８】
図１１は、図１のウォブル信号検出回路９の構成例を示している。バンドパスフィルタ（ＢＰＦ）９１は、信号処理部２３の演算回路７１より供給された信号（Ｅ＋ＦまたはＥ−Ｆ）における、ウォブリングされたエッジを作成するときのキャリア信号の周波数（今の場合、２２．０５ｋＨｚ）を中心にした所定の帯域の周波数成分だけを抽出し、不要な信号成分を除去した信号をＦＭ検波回路９２に出力するようになされている。
【００８９】
ＦＭ検波回路９２は、ＢＰＦ９１からの信号を、ＦＭ検波し、バイフェーズ信号を検出し、バイフェーズデコーダ９３に出力するとともに、ＢＰＦ９１より供給される信号からキャリア信号を抽出し、サーボ回路７に出力するようになされている。
【００９０】
バイフェーズデコーダ９３は、ＦＭ検波回路９２からのバイフェーズ信号を、アドレス情報信号にデコードし、そのアドレス情報信号をエラー訂正回路９４に出力するようになされている。
【００９１】
エラー訂正回路９４は、バイフェーズデコーダ９３より供給されたアドレス情報信号のエラー訂正を行い、エラー訂正後のアドレス情報信号Ａ１およびエラーの訂正情報を含むエラー情報信号Ｅ１をアドレス情報比較回路９５に出力するようになされている。
【００９２】
ＢＰＦ９６は、信号処理部２３の演算回路７３より供給された信号（Ｇ＋ＨまたはＧ−Ｈ）における、ウォブリングされたエッジを作成するときのキャリア信号の周波数を中心にした所定の帯域の周波数成分だけを抽出し、不要な信号成分を除去した信号をＦＭ検波回路９７に出力するようになされている。
【００９３】
ＦＭ検波回路９７は、ＢＰＦ９６からの信号を、ＦＭ検波し、バイフェーズ信号を検出し、バイフェーズデコーダ９８に出力するとともに、ＢＰＦ９６より供給される信号からキャリア信号を抽出し、サーボ回路７に出力するようになされている。なお、サーボ回路７は、ＦＭ検波回路９２からのキャリア信号およびＦＭ検波回路９７からのキャリア信号のうち、ノイズなどの影響が少ない良好な信号の方を選択し、利用する。
【００９４】
バイフェーズデコーダ９８は、ＦＭ検波回路９７からのバイフェーズ信号を、アドレス情報信号にデコードし、そのアドレス情報信号をエラー訂正回路９９に出力するようになされている。
【００９５】
エラー訂正回路９９は、バイフェーズデコーダ９８より供給されたアドレス情報信号のエラー訂正を行い、エラー訂正後のアドレス情報信号Ａ２およびエラーの訂正情報を含むエラー情報信号Ｅ２をアドレス情報比較回路９５に出力するようになされている。
【００９６】
アドレス情報比較回路９５は、エラー訂正回路９４からのエラー情報信号Ｅ１とエラー訂正回路９９からのエラー情報信号Ｅ２を参照しながら、エラー訂正回路９４からのアドレス情報信号Ａ１とエラー訂正回路９９からのアドレス情報信号Ａ２が同一のものであるか否かを判断し（スポット１３−２と１３−３が、トラック方向に所定の距離だけずれていることに起因して、２つの信号の位相がずれる場合は、先行するスポットの出力を、その距離に対応する分だけ遅延して比較判断する）、２つのアドレス情報信号が同一である場合（図５の場合）、現在記録または再生が行われているトラックは、ウォブリングを有するトラック（図５の場合、奇数番号のトラック）であると判断し、２つのアドレス情報信号が同一でない場合（図７の場合）、現在記録または再生が行われているトラックは、ウォブリングを有しないトラック（図７の場合、偶数番号のトラック）であると判断し、判断結果（トラック判別信号）を、アドレス情報信号Ａ１，Ａ２とともに、アドレスデコーダ５に出力するようになされている。
【００９７】
このようにして、ウォブル信号検出回路９は、ウォブル信号よりトラックの判別を行う。
【００９８】
次に、この実施例の動作について説明する。
【００９９】
最初に、データの記録時においては、入力装置６において所定の操作が行われると、その操作に対応して、システムコントローラ３は、サーボ回路７に所定の信号を供給し、サーボ回路７は、その信号に応じて、記録／再生部４を制御し、ディスク１１の回転およびレーザ光の照射を開始させた後、トラッキングエラー信号、フォーカスエラー信号、および、ウォブル信号の検出を行わせる。
【０１００】
記録／再生部４により検出されたトラッキングエラー信号およびフォーカスエラー信号は、サーボ回路７に出力され、サーボ回路７は、それらの信号に応じて、駆動部２２に所定の制御信号を供給し、フォーカスサーボおよびトラッキングサーボを行う。
【０１０１】
一方、記録／再生部４により検出されたウォブル信号は、ウォブル信号検出回路９に供給され、ウォブル信号検出回路９は、そのウォブル信号をアドレス情報信号に変換し、そのアドレス情報信号をアドレスデコーダ５に出力する。
【０１０２】
アドレスデコーダ５は、供給されたアドレス情報信号から、対応するアドレスを算出し、システムコントローラ３に出力する。
【０１０３】
システムコントローラ３は、そのアドレスを参照しながら、記録／再生部４の駆動部２２を動作させ、磁気ヘッド３３および光ヘッド３４を、データを記録する位置に移動させるように、サーボ回路７に指示する。
【０１０４】
データを記録する位置に磁気ヘッド３３および光ヘッド３４が移動すると、システムコントローラ３は、記録ヘッド制御回路２に、データ（符号）の記録を行うように指示する。
【０１０５】
そして、記録ヘッド制御回路２は、磁気ヘッド３３を制御して、ディスク１１のトラックにデータ（符号）を記録させる。
【０１０６】
このようにして、ディスク１１へのデータの記録が行われる。
【０１０７】
次に、データの再生時においては、入力装置６において、所定の操作が行われると、その操作に対応して、システムコントローラ３は、サーボ回路７に所定の信号を供給し、サーボ回路７は、その信号に応じて、記録／再生部４を制御し、ディスク１１の回転およびレーザ光の照射を開始させた後、データ検出信号、フォーカスエラー信号、トラッキングエラー信号、および、ウォブル信号の検出を行わせる。
【０１０８】
記録／再生部４により検出されたトラッキングエラー信号およびフォーカスエラー信号は、サーボ回路７に出力され、サーボ回路７は、それらの信号に応じて、駆動部２２に所定の制御信号を供給し、フォーカスサーボおよびトラッキングサーボを行う。
【０１０９】
記録／再生部４により検出されたウォブル信号は、ウォブル信号検出回路９に供給され、ウォブル信号検出回路９は、そのウォブル信号をアドレス情報信号に変換し、そのアドレス情報信号をアドレスデコーダ５に出力する。
【０１１０】
アドレスデコーダ５は、供給されたアドレス情報信号から、対応するアドレスを算出し、システムコントローラ３に出力する。
【０１１１】
システムコントローラ３は、そのアドレスを参照しながら、記録／再生部４の駆動部２２を動作させ、光ヘッド３４を、データを再生する所定の位置に移動させるように、サーボ回路７に指示する。
【０１１２】
このように再生位置への移動および各サーボを行いながら、記録／再生部４により検出されたデータ検出信号は、データ復調器８に出力され、データ復調器８は、そのデータ検出信号を元のデータに復調し、出力する。
【０１１３】
このようにして、ディスク１１からデータが再生される。
【０１１４】
以上のようにして、１トラックおきに、トラックとされたグルーブまたはランドの左右のエッジが、アドレス情報に対応してウォブリングされているディスク１１から、トラックの判別を行いながらアドレス情報を読み取る。
【０１１５】
図１２は、サイドビームのスポット１３−２，１３−３に代えて、データの記録または再生のためのレーザ光のスポット１３−１を使用して、アドレス情報の読み取りを行う場合のディスク１１におけるスポット１３−１の様子を示している。
【０１１６】
データの記録または再生のためのレーザ光を使用して、アドレス情報の読み取りを行う場合、ウォブリングされたエッジ１２−２，１２−３を有するトラックＴ１においては、データの記録または再生のためのレーザ光のスポット１３−１は、その照射領域Ａ，Ｄが、ウォブリングされたエッジ１２−２を含み、照射領域Ｂ，Ｃがウォブリングされたエッジ１２−３を含むように照射される。
【０１１７】
また、ウォブリングされたエッジを有しないトラックＴ２においては、データの記録または再生のためのレーザ光のスポット１３−１は、その照射領域Ａ，Ｄが、内周側に隣接するトラックＴ１のウォブリングされたエッジ１２−３を含み、照射領域Ｂ，Ｃが、外周側に隣接するトラックＴ３のウォブリングされたエッジ１２−４を含むように照射される。
【０１１８】
そして、照射領域Ａ，Ｄに対応する光を、図５に示す照射領域Ｅ，Ｆに対応する光の代わりに利用し、照射領域Ｂ，Ｃに対応する光を、図５に示す照射領域Ｇ，Ｈに対応する光の代わりに利用し、ウォブル信号検出回路９においては、演算回路７１からの信号（Ｅ＋ＦまたはＥ−Ｆ）の代わりに、演算回路７２からの信号（Ａ＋Ｄ）を利用し、演算回路７３からの信号（Ｇ＋ＨまたはＧ−Ｈ）の代わりに、演算回路７２からの信号（Ｂ＋Ｃ）を利用することにより、アドレスの読み取りを行う。
【０１１９】
このようにして、データの記録または再生のためのレーザ光を利用してアドレスの読み取りを行う。なお、このようにデータの記録または再生のためのレーザ光を利用してアドレスの読み取りを行うようにすると、トラッキングサーボの方式は、特に限定されないで済む。
【０１２０】
次に、図１３は、本発明のディスク１１の他の実施例を平面から見た構成例を示している。この実施例においては、トラック（記録エリア）がランドにより構成され、そのアドレスが内周側に隣接するグルーブ（未記録エリア）の左右のエッジにウォブリングにより記録されている。
【０１２１】
例えば、トラック（ランド）Ｔ０とその外周側に位置するトラック（ランド）Ｔ１により共有されるアドレス情報は、トラックＴ０とトラックＴ１の間に位置するグルーブ（未記録エリア）の左右のエッジ１５−１，１５−２の形状として保持され、トラック（ランド）Ｔ２とその外周側に位置するトラック（ランド）Ｔ３に共有されるアドレス情報は、トラックＴ２とトラックＴ３の間に位置するグルーブの左右のエッジ１５−３，１５−４の形状として保持されている。
【０１２２】
なお、エッジ１５−１，１５−２にトラックＴ１だけのアドレス情報を保持させ、エッジ１５−３，１５−４にトラックＴ３だけのアドレス情報を保持させ、それぞれトラックＴ１，Ｔ３のアドレス情報から、トラックＴ０，Ｔ２のアドレス情報を間接的に算出させることもできる。
【０１２３】
また、図１３に示す実施例においては、データを記録または再生するためのレーザ光のスポット１３−１は、トラック（例えばトラックＴ１）の中央に、その中心が配置されるように照射される。また、両側のレーザ光（トラッキングエラー検出用のレーザ光）のスポット１３−２，１３−３は、ＤＰＰ方式によりトラッキングサーボが行われるため、トラックピッチの１／２の幅だけ、ディスク１１の内周側または外周側にずれた位置（トラックＴ０とトラックＴ１の間、またはトラックＴ１とトラックＴ２）に照射される。このとき、スポット１３−２，１３−３が、他のトラックのウォブリングされたエッジ（今の場合、エッジ１５−３など）に重ならないので、クロストークを抑制することができる。
【０１２４】
なお、３本のレーザ光のうち、両側の２本のレーザ光を利用して、３スポット方式でトラッキングサーボを行うこともできる。その場合、両側の２本のレーザ光の戻り光の光量の差をトラッキングエラー信号とする。
【０１２５】
このように、この実施例では、トラッキングエラー検出用の２本のレーザ光（サイドビーム）のスポット１３−２，１３−３を、データの記録または再生が行われるトラックＴ１と、内周側に隣接するトラックＴ０または外周側に隣接するトラックＴ２の間を中心にして、エッジ１５−１，１５−２およびトラックＴ１とトラックＴ２の間のエッジに照射して、その戻り光をホトダイオード４８Ａで受光し、スポット１３−２によりエッジ１５−１，１５−２の形状を検出することにより、トラックＴ１のアドレス情報を読み取る。
【０１２６】
なお、トラックＴ２においてデータの記録または再生が行われる場合、図１４に示すように、トラッキングエラー検出用のレーザ光のスポット１３−２と１３−３は、トラックＴ１とトラックＴ２の間と、トラックＴ２とトラックＴ３の間を中心にして、トラックＴ１とトラックＴ２の間のエッジ、およびエッジ１５−３，１５−４に照射される。トラックＴ３と共有されているトラックＴ２のアドレス情報は、トラックＴ２とトラックＴ３の間に照射されたレーザ光のスポット１３−３によってエッジ１５−３，１５−４の形状から読み取られる。
【０１２７】
このように、トラックを構成しないグルーブ（未記録エリア）の左右のエッジが、１トラックおきにアドレス情報に対応してウォブリングされているディスク１１は、図５に示すディスク１１と同様に、図８に示すようなアドレス記録装置を利用して作成される。
【０１２８】
このとき、光ヘッド５３は、２本のビーム（レーザ光）のうちの第１のビームを、記録するアドレス情報に対応させて蛇行させることで、トラックとトラックの間のグルーブのエッジをウォブリングさせる。さらに、第２のビームを、第１のビームの外周側に配置し、固定しておく（ウォブリングさせない）ことで、トラックとトラックの間のグルーブの左右のエッジを直線（円）状にする。
【０１２９】
そして、第１のビームの軌跡（グルーブ）と第２のビームの軌跡（グルーブ）の間に、トラック（ランド）が生成されるように、ディスク５５の回転に対応して、２本のビームを移動させていくことにより、図１３に示すように、１トラックおきに、左右のエッジ１５−１乃至１５−４がウォブリングされたグルーブを有するディスクが作成される。
【０１３０】
なお、グルーブをトラックとし、ランドの左右のエッジをウォブリングするようにしてもよい。
【０１３１】
次に、図１３に示すように、トラックを構成しないグルーブの左右のエッジが、１トラックおきにアドレス情報に対応してウォブリングされているディスク１１に対して記録再生を行う記録再生装置のウォブル信号検出回路９の実施例について、図１５を参照して説明する。
【０１３２】
図１５においては、ＢＰＦ１０１は、信号処理部２３の演算回路７１より供給された信号（Ｅ＋ＦまたはＥ−Ｆ）における、ウォブリングされたエッジを作成するときのキャリア信号の周波数を中心にした所定の帯域の周波数成分だけを抽出し、不要な信号成分を除去した信号を、加算器１０２およびレベル検出比較器１０３に出力するようになされている。
【０１３３】
ＢＰＦ１０４は、信号処理部２３の演算回路７３より供給された信号（Ｇ＋ＨまたはＧ−Ｈ）における、ウォブリングされたエッジを作成するときのキャリア信号の周波数を中心にした所定の帯域の周波数成分だけを抽出し、不要な信号成分を除去した信号を、加算器１０２およびレベル検出比較器１０３に出力するようになされている。
【０１３４】
加算器１０２は、ＢＰＦ１０１からの出力とＢＰＦ１０４からの出力の和を計算し、ＦＭ検波回路１０５に出力するようになされている。
【０１３５】
ＦＭ検波回路１０５は、加算器１０２からの信号を、ＦＭ検波し、バイフェーズ信号を検出し、バイフェーズデコーダ１０６に出力するとともに、加算器１０２より供給される信号からキャリア信号を抽出し、サーボ回路７に出力するようになされている。
【０１３６】
バイフェーズデコーダ１０６は、ＦＭ検波回路１０５からのバイフェーズ信号を、アドレス情報信号にデコードし、そのアドレス情報信号をエラー訂正回路１０７に出力するようになされている。
【０１３７】
エラー訂正回路１０７は、バイフェーズデコー１０６より供給されたアドレス情報信号のエラー訂正を行い、エラー訂正後のアドレス情報信号をアドレスデコーダ５に出力するようになされている。
【０１３８】
レベル検出比較器１０３は、ＢＰＦ１０１からの出力の信号の振幅とＢＰＦ１０４からの信号の振幅を比較し、トラックの判別を行うようになされている。
【０１３９】
例えば、図１３に示すように、レーザ光を照射して、データの記録または再生を行っている場合、ウォブリングされたエッジ１５−１，１５−２に照射されたレーザ光を受光して得られる信号Ｅ＋Ｆ（またはＥ−Ｆ）は、キャリア信号の周波数付近の周波数を有するので、ＢＰＦ１０１からの出力の信号の振幅は、所定の値を示す。
【０１４０】
一方、ウォブリングされていないエッジ（トラックＴ１とトラックＴ２の間のエッジ）に照射されたレーザ光を受光して得られる信号Ｇ＋Ｈ（またはＧ−Ｈ）は、直流成分しか含まないので、ＢＰＦ１０４からの出力の信号の振幅は、ほとんどゼロになる。従って、ＢＰＦ１０１の出力とＢＰＦ１０４の出力を比較することで、現在記録または再生を行っているトラックが奇数番号のトラックであるのか、偶数番号のトラックであるのかを判別することができる。
【０１４１】
以上のようにして、１トラックおきに、トラックを構成しないグルーブの左右のエッジ１５−１乃至１５−４が、アドレス情報に対応してウォブリングされているディスク１１から、トラックの判別を行いながらアドレス情報を読み出す。
【０１４２】
図１６は、サイドビームのスポット１３−２，１３−３に代えて、データの記録または再生のためのレーザ光のスポット１３−１を使用して、アドレス情報の読み取りを行う場合のディスク１１におけるスポット１３−１の様子を示している。
【０１４３】
データの記録または再生のためのレーザ光を使用して、アドレス情報の読み取りを行う場合、トラックＴ１においては、データの記録または再生のためのレーザ光のスポット１３−１は、その照射領域Ａ，Ｄが、ウォブリングされたエッジ１５−１，１５−２を含むように照射される。
【０１４４】
また、トラックＴ２においては、データの記録または再生のためのレーザ光のスポット１３−１は、その照射領域Ｂ，Ｃが、ウォブリングされたエッジ１５−３，１５−４を含むように照射される。
【０１４５】
そこで、照射領域Ａ，Ｄに対応する光を、図１３に示す照射領域Ｅ，Ｆに対応する光の代わりに利用し、照射領域Ｂ，Ｃに対応する光を、図１３に示す照射領域Ｇ，Ｈに対応する光の代わりに利用する。ウォブル信号検出回路９においては、演算回路７１からの信号（Ｅ＋ＦまたはＥ−Ｆ）の代わりに、演算回路７２からの信号（Ａ＋Ｄ）を利用し、演算回路７３からの信号（Ｇ＋ＨまたはＧ−Ｈ）の代わりに、演算回路７２からの信号（Ｂ＋Ｃ）を利用することにより、アドレスの読み取りを行うことができる。
【０１４６】
なお、このようにデータの記録または再生のためのレーザ光を利用してアドレスの読み取りを行うようにすると、トラッキングサーボの方式は、特に限定されないで済む。
【０１４７】
以上のようにして、トラッキングエラー検出用のレーザ光を、トラックのアドレス情報に対応するウォブリング形状を有する方に照射し、その戻り光の光量から、データ検出用のレーザ光の照射位置のアドレスを算出する。そして、そのアドレス情報に対応させて、データの記録または再生を行う。
【０１４８】
なお、以上においては、トラックをスパイラル状としたが同心円状とすることもできる。また、本発明の記録再生装置は、上述した第１および第２の実施例に限定されるものではなく、本発明のグルーブとトラックは、図５および図１３に示す形態に限定されるものではない。また、本発明は、ディスク以外の記録媒体にも適用することができる。
【０１４９】
【発明の効果】
以上のごとく、請求項１に記載の記録媒体によれば、隣接する２つのトラックにおいて、一方のトラックの左右のエッジだけが、２つのトラックに共有されるアドレス情報に対応してウォブリングされているので、所定のトラックのウォブリングされたエッジから、他のウォブリングされたエッジまでの距離が長くなり、所定のトラックのエッジのみに光線を照射しやすくなり、トラックピッチを狭くすることができる。
【０１５０】
請求項４に記載のアドレス記録方法および請求項５に記載のアドレス記録装置によれば、隣接する２つのトラックにおいて、一方のトラックの左右のエッジだけをウォブリングすることにより、２つのトラックに共有されるアドレス情報を記録するようにしたので、トラックピッチが狭い記録媒体を作成することができる。
【図面の簡単な説明】
【図１】本発明の記録再生装置の一実施例の構成を示すブロック図である。
【図２】図１の記録／再生部４の一構成例を示すブロック図である。
【図３】図２の駆動部２２の一構成例を示す断面図である。
【図４】図２の光ヘッド３４の一構成例を示す断面図である。
【図５】本発明の記録媒体の一実施例を平面から見た図である。
【図６】図５の記録媒体におけるトラックの形状を示す図である。
【図７】図５の記録媒体の偶数番号のトラックにおける記録または再生時のスポットの位置の一例を示す図である。
【図８】本発明のアドレス記録装置の一実施例の構成を示すブロック図である。
【図９】図８のＡＤＩＰエンコーダ５２の一構成例を示すブロック図である。
【図１０】図２の信号処理部２３の一構成例を示すブロック図である。
【図１１】図１のウォブル信号検出回路９の一構成例を示すブロック図である。
【図１２】図５の記録媒体のアドレス情報を、データの記録再生用のレーザ光で読み取る様子を説明する図である。
【図１３】本発明の記録媒体の他の実施例を平面から見た図である。
【図１４】図１３の記録媒体の偶数番号のトラックにおける記録または再生時のスポットの位置の一例を示す図である。
【図１５】図１３の記録媒体に記録または再生を行う実施例のウォブル信号検出回路９の一構成例を示すブロック図である。
【図１６】図１３の記録媒体のアドレス情報を、データの記録再生用のレーザ光で読み取る様子を説明する図である。
【図１７】従来の記録媒体の一例を平面から見た図である。
【符号の説明】
１  データ変調器，  ２  記録ヘッド制御回路，  ３  システムコントローラ，  ４  記録／再生部，  ５  アドレスデコーダ，  ６  入力装置，  ７  サーボ回路，  ８  データ復調器，  ９  ウォブル信号検出回路，  １１  ディスク，  ２１  記録再生ヘッド，  ２２  駆動部，  ２３  信号処理部，  ３３  磁気ヘッド，  ３４  光ヘッド，  ４１  レーザダイオード，  ４５  対物レンズ，  ４８Ａ，４８Ｂ，４８Ｃ  ホトダイオード，  ５１  ＡＤＩＰデータ発生回路，  ５２  ＡＤＩＰエンコーダ，  ５３  光ヘッド，  ９５  アドレス情報比較回路，  １０３  レベル検出比較器
【図１】
0003772379.tif 000002
【図２】
0003772379.tif 000003
【図３】
0003772379.tif 000004
【図４】
0003772379.tif 000005
【図５】
0003772379.tif 000006
【図６】
0003772379.tif 000007
【図７】
0003772379.tif 000008
【図８】
0003772379.tif 000009
【図９】
0003772379.tif 000010
【図１０】
0003772379.tif 000011
【図１１】
0003772379.tif 000012
【図１２】
0003772379.tif 000013
【図１３】
0003772379.tif 000014
【図１４】
0003772379.tif 000015
【図１５】
0003772379.tif 000016
【図１６】
0003772379.tif 000017
【図１７】
0003772379.tif 000018